(57)【特許請求の範囲】
【請求項１】
屋内の引き戸式出入口の下部を閉鎖可能なペット侵入防止柵と、該柵を上下若しくは左右にスライド可能に支持するスライドガイドとを備え、前記ペット侵入防止柵を、前記出入口の上部若しくは側部から前記出入口下部に往復スライド可能に設置してなるペット侵入防止装置。
【請求項２】
引き戸式出入口の両側部に上下に向けた互いに対向されて対をなすガイドレールからなるスライドガイドを備え、該スライドガイドに沿ってペット侵入防止柵を前記出入口の上縁より高い位置から出入口下部に降下自在にしてなる請求項１に記載のペット侵入防止装置。
【請求項３】
互いに対向されて対をなすガイドレールを複数対重ねて設置し、各ガイドレールにそれぞれペット侵入防止柵を支持させ、該ペット侵入防止柵は上下に互いに連係されて出入口下部を閉鎖し、かつ前後に重ねられて出入口上縁より高い位置に収納されるようにしてなる請求項２に記載のペット侵入防止柵。
【請求項４】
引き戸式出入口に設置された引き戸に水平方向に向けた互いに平行なガイドレールからなるスライドガイドを備え、該スライドガイドにペット侵入防止柵をスライド自在に支持させてなる請求項１に記載のペット侵入防止装置。
【発明の詳細な説明】
【０００１】
【発明の属する技術分野】
本発明は、主として和室の出入口に設置するペット侵入防止装置に関する。
【０００２】
【従来の技術】
一般に、屋内において種々のペット（愛玩動物）が飼われており、特に犬、猫、兎その他の獣類は、その爪等によって和室の畳を引っかいて損傷させることが多く、特に幼年期の猫等、躾が充分でない時期にその傾向が高い。また、ペットを好まない来客があった時や就寝時等、ペットの入室を制限したい場合がある。このような場合にペット侵入防護柵が広く使用されている。
【０００３】
【発明が解決しようとする課題】
上述した従来のペット侵入防護柵は、格子状の金属柵からなり、これを１枚〜複数枚繋げて出入口に立て掛ける等してペットの侵入を阻止するものであるため、屋内の美観を損ない、また取り扱いが面倒であり、不使用時の保管にも場所をとられる等の問題があった。
【０００４】
本発明は、このような従来の問題に鑑み、開け閉めが容易で、保管に場所を要せず、美観を損なわないで設置が可能なペット侵入防止装置の提供を目的としてなされたものである。
【０００５】
【課題を解決するための手段】
上述の如き従来の問題を解決し、所期の目的を達成するための本発明の特徴は、屋内の引き戸式出入口の下部を閉鎖可能なペット侵入防止柵と、該柵を上下若しくは左右にスライド可能に支持するスライドガイドとを備え、前記ペット侵入防止柵を、前記出入口の上部若しくは側部から前記出入口下部に往復スライド可能に設置してなるペット侵入防止装置にある。
【０００６】
尚、引き戸式出入口の両側部に上下に向けた互いに対向されて対をなすガイドレールからなるスライドガイドを備え、該スライドガイドに沿ってペット侵入防止柵を前記出入口の上縁より高い位置から出入口下部に降下自在にすることが好ましく、その際、互いに対向されて対をなすガイドレールを複数対重ねて設置し、各ガイドレールにそれぞれペット侵入防止柵を支持させ、該ペット侵入防止柵は上下に互いに連係されて出入口下部を閉鎖し、かつ前後に重ねられて出入口上縁より高い位置に収納されるようにすることが好ましい。
【０００７】
また、引き戸式出入口に設置された引き戸に水平方向に向けた互いに平行なガイドレールからなるスライドガイドを備え、該スライドガイドにペット侵入防止柵をスライド自在に支持させてもよい。
【０００８】
【発明の実施の形態】
次に本発明の実施の形態を図面について説明する。
【０００９】
図１〜図４は本発明の第１実施例を示している。この実施例は襖や障子からなる引き戸１を使用した和室出入口の鴨居２ａより上方にペット侵入防止柵Ａを収納しておき、使用時に出入口下部にスライドさせるようにしたものである。
【００１０】
出入口の両側の建具枠３，３の外側には縦て向きに、一対のガイド用支柱４，４が固定され、この支柱４，４間にペット侵入防止柵Ａが上下にスライド可能に支持されている。
【００１１】
ペット侵入防止柵Ａは、前後配置の２枚の網状格子Ａ１，Ａ２とから構成され、鴨居２ａより上側に収納される際には前後に重ねられ、出入口下部に設置される際には、一方の上縁後面と他方の下縁前面に設けた係止突起５ａ，５ｂが互いに係合し、上下に拡開された状態となるようになっている。
【００１２】
各ガイド用支柱４，４には、対向面にそれぞれ平行な一対のガイド溝６，６が設けられ、この各溝に各格子Ａ１，Ａ２の両側端面に突出した被ガイド突起７が挿入され、各格子Ａ１，Ａ２が互いに並行にそれぞれ上下にスライドできるように支持されている。各被ガイド突起７にはローラー８が回転可能に取りつけられている。
【００１３】
各支柱４内には、各格子Ａ１，Ａ２に対応させてそれぞれ２本づつのテンションワイヤー９，９が縦向きに張設されている。この各ワイヤー９は図３に示すように、各ローラー外周面の凹溝８ａに嵌り合うように張設されている。
【００１４】
各ワイヤー９は、図３に示すように、その中間位置でカム１０に当接され、このカム１０が固定された軸１１は支柱外側面に突出され、その端部にはハンドル１２が固定されていて、該ハンドル１２を回転させることによりカム１０が回転されるようになっている。
【００１５】
カム１０は、図４に示すように小径部１０ａがワイヤー９に接している時はワイヤー９が直線状態となり、大径部１０ｂがワイヤー９に接することによりワイヤー９を押し曲げるようにしており、これによってワイヤー９がガイド溝６に対して傾斜し、ローラー８の降下が阻止されるようになっている。
【００１６】
支柱４，４の対向面には上側となる格子Ａ１の下端が当接する降下規制子１３が突設され、上側の格子Ａ１がその位置で停止するようになっている。
【００１７】
この例のペット侵入防止装置は、ハンドル１２を操作してカム１０がワイヤー９を押さない状態の時、柵Ａは上下にスライド可能となり、出入り口下部に降下させることにより、ペットが出入りできない状態となる。また、柵Ａの不使用時には、スライド可能な状態にして上昇させ、鴨居２ａより高い位置まで押し上げ、両格子Ａ１，Ａ２を重ねた状態でハンドル１２を操作してカム１０がワイヤー９を押す状態とする。これによって柵Ａは鴨居２ａより上の位置に収納される。
【００１８】
図５、図６は、本発明の第２実施例を示しており、この例は、引き戸３の表面に柵Ｂを水平方向にスライド可能に支持させたものであり、引き戸３の下側表面に一対のスライドガイド２０を固定し、これに中間スライダー２１をスライド自在に指示させ、この中間スライダー２１に柵Ｂをスライド自在に支持させている。
【００１９】
スライドガイド２０は、柵Ｂが開き方向側に移動されるように梢傾斜させて固定され、その端部には柵Ｂが当接する緩衝ゴム２２が固定されている。柵Ｂにはストッパー用軸２３が上下に移動自在に取り付けられ、柵Ｂが出入り口閉鎖位置にある時に下端が敷居２ｂのホゾ２４に整合するようになっている。
【００２０】
軸２４はロック装置２５によって制御されるようになっており、操作ボタン２６を押し下げることにより軸２３が押し下げられてホゾ２４に先端が挿入された状態でロックされ、再度操作ボタン２６を押すことによりロックが解除されホゾ２４から外れ、柵Ｂのスライドに支障がない高さにスプリングの弾力によって引き上げられるようになっている。
【００２１】
この柵Ｂは、不使用時には操作ボタン２６を操作して軸２３を引き上げた状態にすることにより、スライドガイド２０の傾斜によって開き側に自動的に移動されて収納状態となり、ペット及び人の出入りが自由となる。また、引き戸３を開けた状態で柵Ｂを開いている出入口の方にスライドさせ、操作ボタン２６を押し下げることにより、軸２３がホゾ２４に嵌合されて閉鎖状態が維持され、出入り口の下部を閉鎖し、ペットの出入りを阻止することができる。
【００２２】
【発明の効果】
上述したように、本発明のペット侵入防止装置は、屋内の引き戸式出入口の下部を閉鎖可能なペット侵入防止柵と、該柵を上下若しくは左右にスライド可能に支持するスライドガイドとを備え、前記ペット侵入防止柵を、前記出入口の上部若しくは側部から前記出入口下部に往復スライド可能に設置することにより、必要に応じて簡単に、出入口を開けた状態でペットの出入りが阻止されるように柵をセットすることができ、また、柵は出入口の上又は横の定まった位置に収納できるため、収納場所まで運ぶ必要が無く、且つ、不使用時に邪魔にならず、建具の一つとして体裁良く設置することができる。
【００２３】
また、引き戸式出入口の両側部に上下に向けた互いに対向されて対をなすガイドレールからなるスライドガイドを備え、該スライドガイドに沿ってペット侵入防止柵を前記出入口の上縁より高い位置から出入口下部に降下自在にすることにより、常時は不使用スペースである、かもいより上の部分に柵が収容でき、収納場所をとらない。
【００２４】
さらに、その場合、互いに対向されて対をなすガイドレールを複数対重ねて設置し、各ガイドレールにそれぞれペット侵入防止柵を支持させ、該ペット侵入防止柵は上下に互いに連係されて出入り口下部を閉鎖し、かつ前後に重ねられて出入り口上縁より高い位置に収納されるようにすることにより、天井が低く、かもいより上の空間が狭い家屋でも必要高さの柵を簡単に設置することができる。
【００２５】
また、引き戸式出入り口に設置された引き戸に水平方向に向けた互いに平行なガイドレールからなるスライドガイドを備え、該スライドガイドにペット侵入防止柵をスライド自在に支持させることにより、柵付きの引き戸を製造するのみで、家屋には柵取り付け工事が不要となり、より簡単な柵設置が可能となる。
【図面の簡単な説明】
【図１】本発明の第１実施例を示す正面図である。
【図２】図１に示す実施例のスライド機構を示す断面図である。
【図３】図２中のＸ−Ｘ線断面図である。
【図４】図１に示す実施例の柵降下防止構造部分を示す動作説明図である。
【図５】本発明の第２実施例の正面図である。
【図６】同上のスライドガイド部分を示す断面図である。
【符号の説明】
Ａ  ペット侵入防止柵
Ａ１，Ａ２  網状格子
Ｂ  ペット侵入防止柵
１  引き戸
２ａ  鴨居
２ｂ  敷居
３  建具枠
４  ガイド用支柱
５ａ，５ｂ  係止突起
６  ガイド溝
７  被ガイド突起
８  ローラー
８ａ  凹溝
９  テンションワイヤー
１０  カム
１０ａ  小径部
１０ｂ  大径部
１１  軸
１２  ハンドル
１３  降下規制子
２０  スライドガイド
２１  中間スライダー
２２  緩衝ゴム
２３  ストッパー用軸
２４  ホゾ
２５  ロック装置
２６  操作ボタン
【図１】
0003840633.tif 000002
【図２】
0003840633.tif 000003
【図３】
0003840633.tif 000004
【図４】
0003840633.tif 000005
【図５】
0003840633.tif 000006
【図６】
0003840633.tif 000007